(57)【要約】【課題】地域マイクログリッドを含んで構成される電力供給システムにおいて、非常時に各需要家に適切に電力を割り当てる。【解決手段】配電網、地域マイクログリッド、及び需要家を含んで構成される電力供給システムの制御装置が、需要家の夫々への電力の供給方針についての契約に関する情報である契約ポリシーを記憶し、配電網からの電力の供給に支障が生じている非常時に、需要家に夫々の契約ポリシーに従って利用可能な電力を供給する。契約ポリシーは、電力供給の優先順位を規定する情報である契約クラスを含み、制御装置は、優先順位の高い契約クラスを契約している需要家に優先的に利用可能な電力を供給する。【選択図】図２
2022003848.tif 000002
【特許請求の範囲】
【請求項１】
情報処理装置を用いて構成され、配電網、地域マイクログリッド、及び需要家を含んで構成される電力供給システムの制御装置であって、
前記需要家の夫々への電力の供給方針についての契約に関する情報である契約ポリシーを記憶する記憶部と、
前記配電網からの電力の供給に支障が生じている非常時に、前記需要家に夫々の前記契約ポリシーに従って利用可能な電力を供給する電力供給制御部と、
を備える、電力供給システムの制御装置。
【請求項２】
請求項１に記載の制御装置であって、
前記契約ポリシーは、電力供給の優先順位を規定する情報である契約クラスを含み、
前記電力供給制御部は、優先順位の高い契約クラスを契約している前記需要家に優先的に利用可能な電力を供給する、
電力供給システムの制御装置。
【請求項３】
請求項２に記載の制御装置であって、
前記電力供給制御部は、前記非常時において、前記需要家に供給可能な電力量を随時算出し、算出した電力量を、前記需要家に夫々の前記契約クラスに従って割り当てた場合の余剰電力を求め、求めた前記余剰電力に応じて前記需要家への電力の割当方法である制御モードを決定する、
電力供給システムの制御装置。
【請求項４】
請求項３に記載の制御装置であって、
前記契約クラスは、供給される電力量を指定する情報を含み、
前記電力供給制御部は、同じ前記契約クラスを契約している複数の前記需要家が存在する場合、夫々の前記契約クラスに指定されている電力量に応じた比率で前記複数の需要家の夫々に電力を割り当てる、
電力供給システムの制御装置。
【請求項５】
請求項３に記載の制御装置であって、
前記電力供給制御部は、前記非常時において、前記需要家に電力の供給が可能な電力供給設備の生存確認を行い、生存が確認された前記電力供給設備が前記需要家に供給可能な電力量を随時算出し、算出した電力量を、前記需要家に夫々の前記契約クラスに従って割り当てた場合の余剰電力を求め、求めた前記余剰電力に応じて前記需要家への電力の割当方法である制御モードを決定する、
電力供給システムの制御装置。
【請求項６】
請求項２に記載の制御装置であって、
前記契約クラスは、前記需要家に供給する電力の品質を規定する情報を含み、前記品質が高い程、前記契約クラスの優先順位が高く設定される、
電力供給システムの制御装置。
【請求項７】
請求項２に記載の制御装置であって、
前記非常時において前記需要家に供給される電力は、前記需要家に共有されている電力供給設備から供給される、
電力供給システムの制御装置。
【請求項８】
請求項７に記載の制御装置であって、
前記電力供給設備は、電源車両又は電気自動車（ＥＶ）である、
電力供給システムの制御装置。
【請求項９】
請求項２に記載の制御装置であって、
前記需要家に供給される電力は、前記需要家における電力供給設備から供給される、
電力供給システムの制御装置。
【請求項１０】
請求項９に記載の制御装置であって、
前記記憶部は、前記需要家の夫々の前記電力供給設備が前記非常時において提供した電力量の履歴を記憶し、
前記電力供給制御部は、前記非常時において提供した前記電力量に応じた比率で前記需要家の夫々に電力を割り当てる、
電力供給システムの制御装置。
【請求項１１】
請求項２に記載の制御装置であって、
前記配電網から前記需要家への電力の供給を制御する第１スイッチ、前記地域マイクログリッドから前記需要家への電力の供給を制御する第２スイッチ、及び前記需要家における電力の監視又は制御を行う装置であるエネルギー管理装置のうちの少なくともいずれかと通信可能に接続し、
前記電力供給制御部は、前記第１スイッチ、前記第２スイッチ、及び前記エネルギー管理装置のうちの少なくともいずれかを制御することにより、前記需要家に夫々の前記契約ポリシーの前記契約クラスに従って利用可能な電力を供給する、
電力供給システムの制御装置。
【請求項１２】
請求項３に記載の制御装置であって、
決定した前記制御モードに基づき各需要家に割り当てた電力を視覚的に表示するユーザインタフェースを備える、
電力供給システムの制御装置。
【請求項１３】
配電網、地域マイクログリッド、及び需要家を含んで構成される電力供給システムの制御方法であって、
情報処理装置を用いて構成される制御装置が、
前記需要家の夫々への電力の供給方針についての契約に関する情報である契約ポリシーを記憶するステップと、
前記配電網からの電力の供給に支障が生じている非常時に、前記需要家に夫々の前記契約ポリシーに従って利用可能な電力を供給するステップと、
を実行する、電力供給システムの制御方法。
【請求項１４】
請求項１３に記載の電力供給システムの制御方法であって、
前記契約ポリシーは、電力供給の優先順位を規定する情報である契約クラスを含み、
前記制御装置が、優先順位の高い契約クラスを契約している前記需要家に優先的に利用可能な電力を供給するステップ
を更に実行する、電力供給システムの制御方法。
【請求項１５】
請求項１４に記載の電力供給システムの制御方法であって、
前記制御装置が、前記非常時において、前記需要家に供給可能な電力量を随時算出し、算出した電力量を、前記需要家に夫々の前記契約クラスに従って割り当てた場合の余剰電力を求め、求めた前記余剰電力に応じて前記需要家への電力の割当方法である制御モードを決定するステップ
を更に実行する、電力供給システムの制御方法。
【発明の詳細な説明】
【技術分野】
【０００１】
本発明は、電力供給システムの制御装置、及び制御方法に関する。
【背景技術】
【０００２】
特許文献１には、分散型電源の大量導入といった需要家側での発電手段の増加に伴う余剰電力対策が必要となる状況下において、余剰電力を流通させるための手段やインセンティブを管理することを目的として構成された電力管理システムについて記載されている。電力管理システムは、２つの配電網（系統、地域マイクログリッド）に接続するプロシューマ設備において、電力消費量、電力発電量、蓄電量を計測、収集する装置を具備し、これら計測データの比率を基にプロシューマ設備へ切替要求を送信することで、配電網を切替え制御する。
【先行技術文献】
【特許文献】
【０００３】
【特許文献１】特開２０１３−２１７９８号公報
【発明の概要】
【発明が解決しようとする課題】
【０００４】
近年、自家発電設備（風力、太陽光、ガスタービン、燃料電池、バイオマス、バイオガス、地熱等の発電機）を利用した分散電源の普及に伴い、電力システムにおいては逆潮流による配電系統の不安定化が課題となっている。また、グリッドパリティやストレージパリティの到来に備え、電力システムにおいてはこれらに対する対策が急務となっている。一方で、災害時のバックアップとして周波数安定化等の系統調整能力の高い蓄電池の活用が期待されており、Ｖ２Ｇ（Vehicle to Grid）の利用が検討されている。
【０００５】
こうした中、再生可能エネルギー（ＲＥ（Renewable Energy））や蓄電池、コージェネレーションシステム等の調整力や系統線を活用して電力を面的に利用する新たなエネルギーシステムである地域マイクログリッド（ＶＰＰ（Virtual Power Plant））が注目され
ている。今後、電力会社等の事業者は、地域マイクログリッドを構築していくことにより、事業継続計画（ＢＣＰ（Business Continuity Plan））についての対策、地産地消等の特長を売りとした事業展開を進めていくことが予想される。
【０００６】
地域マイクログリッドにおいては、事業継続計画の一貫として、配電網（系統）の停電発生等の非常時における対策が必要となる。具体的には、地域マイクログリッドには、非常時において、地域マイクログリッドやプロシューマの電力供給設備（発電機や蓄電池）を利用した自立性（独立性）を確保するとともに、利用可能な電力を各需要家に適切に配分する仕組みが必須となる。
【０００７】
上記の特許文献１に記載の電力管理システムは、２つの配電網（系統、地域マイクログリッド）に接続するプロシューマ設備において、電力消費量、電力発電量、蓄電量を計測、収集し、これら計測データの比率に基づきプロシューマ設備へ切替要求を送信して配電網を切替え制御する。
【０００８】
しかし特許文献１では、系統停電時における制御についてはとくに記載されておらず、系統停電時等の非常時に利用可能な電力を適切に（現場のニーズに即して公平／公正に）需要家に割り当てる仕組みについては考慮されていない。
【０００９】
本発明は、このような背景に鑑みてなされたものであり、地域マイクログリッドを含んで構成される電力供給システムにおいて、非常時に各需要家に適切に電力を割り当てることが可能な、電力供給システムの制御装置、及び制御方法を提供することを目的とする。
【課題を解決するための手段】
【００１０】
上記の目的を達成するための本発明のうちの一つは、情報処理装置を用いて構成され、配電網、地域マイクログリッド、及び需要家を含んで構成される電力供給システムの制御装置であって、前記需要家の夫々への電力の供給方針についての契約に関する情報である契約ポリシーを記憶する記憶部と、前記配電網からの電力の供給に支障が生じている非常時に、前記需要家に夫々の前記契約ポリシーに従って利用可能な電力を供給する電力供給制御部と、を備える。
【発明の効果】
【００１１】
本発明によれば、地域マイクログリッドを含んで構成される電力供給システムにおいて、非常時に各需要家に適切に電力を割り当てることができる。
【００１２】
尚、上記した以外の課題、構成及び効果は、以下の発明を実施するための形態の説明により明らかにされる。
【図面の簡単な説明】
【００１３】
【図１】電力供給システムの概略的な構成例を示す図である。
【図２】制御装置が備える主な機能の一例を示す図である。
【図３】制御装置を実現する情報処理装置のハードウェア構成例である。
【図４】需要家設備情報の一例である。
【図５】契約ポリシー情報の一例である。
【図６】契約クラス情報の一例である。
【図７】共有機器管理情報の一例である。
【図８】需要家売買電情報の一例である。
【図９】割当リソース管理情報の一例である。
【図１０】電力調達管理情報の一例である。
【図１１】電力供給システムの状態と制御モードの関係を説明する状態遷移図の一例である。
【図１２】電力供給システムの動作例を示す図である。
【図１３】非常時の電力供給システムの制御の例を示す図である。
【図１４】制御モード決定処理を説明するフローチャートの一例である。
【図１５】制御シーケンスを説明するシーケンス図の一例である。
【図１６】割当状態確認画面の一例である。
【発明を実施するための形態】
【００１４】
以下、図面を参照しつつ本発明の実施形態について説明する。尚、以下の記載及び図面は、本発明を説明するための例示であって、説明の明確化のため、適宜、省略及び簡略化がなされている。本発明は、他の種々の形態でも実施する事が可能である。とくに限定しない限り、各構成要素は単数でも複数でも構わない。
【００１５】
以下に説明する発明の構成において、同一部分又は同様な機能を有する部分には同一の符号を異なる図面間で共通して用い、重複する説明は省略することがある。また、同一あるいは同様な機能を有する要素が複数ある場合に同一の符号に異なる添字を付して説明することがある。但し、複数の要素を区別する必要がない場合は添字を省略して説明することがある。
【００１６】
以下の説明において、「情報」という表現にて各種のデータを説明することがあるが、各種のデータは、テーブルやリスト等の他のデータ構造で表現されていてもよい。また、識別情報について説明する際に、「識別子」、「ＩＤ」等の表現を用いるが、これらについてはお互いに置換することが可能である。また、以下の説明において、符号の前に付した「Ｓ」の文字は処理ステップの意味である。また、以下の説明において、「インタフェース」のことを「Ｉ／Ｆ」と表記することがある。
【００１７】
図１に、本発明の一実施形態として示す電力供給システム１の概略的な構成を示している。同図に示すように、電力供給システム１は、配電網２（系統）、地域マイクログリッド３、需要家４、通信ネットワーク５、及び制御装置１００を含む。同図には、配電網２と地域マイクログリッド３の双方に接続された２つの需要家４を例示している。需要家４は、例えば、電力会社や地域マイクログリッドの運用者等の電力供給を行う組織（以下、「電力提供事業者」と称する。）から電気の供給を受ける者（高圧大口需要家、高圧小口需要家、低圧需要家等）であり、例えば、企業等の組織や一般家庭等である。尚、需要家４は、電力の消費と提供の双方を行う者（プロシューマ（生産消費者））であってもよい。需要家４は、地域マイクログリッド３の構成要素であってもよい。
【００１８】
各需要家４には、発電機／蓄電池４１、電力スイッチ４２、分電盤４３、エンドデバイス４４（需要家負荷）、及びエネルギー管理装置４５等の電力関連設備が設けられている。発電機／蓄電池４１は、必ずしも全ての需要家４に備えられていなくてもよい。電力スイッチ４２は、配電網２及び地域マイクログリッド３と、分電盤４３との間の電力の授受を制御（オンオフ制御等）する。分電盤４３は、需要家４に設けられている機器間（機器間を結ぶ回路）の電力の授受を制御（オンオフ制御等）する。分電盤４３は、各回路を通じて授受される電力や電力量を計測し、計測した値を通信ネットワーク５を介して制御装置１００に通知する機能を備えていてもよい。
【００１９】
発電機／蓄電池４１は、需要家４に設けられている自家発電設備（例えば、風力、太陽光、地熱、ガスタービン、燃料電池、バイオマス、バイオガス等の発電機）、及び蓄電値（専用の蓄電池やＥＶに搭載された蓄電池等）の少なくともいずれかを含む。発電機／蓄電池４１から出力される電力は、分電盤４３を介してエンドデバイス４４に供給される。また発電機／蓄電池４１から出力される電力は、分電盤４３及び電力スイッチ４２を介して配電網２や地域マイクログリッド３に供給される。
【００２０】
エンドデバイス４４は、電力を消費する、例えば、工作機械や電気機器等の装置（負荷）である。エンドデバイス４４は、分電盤４３を介して、配電網２、地域マイクログリッド３、及び発電機／蓄電池４１のうちの少なくともいずれかから供給される電力を消費する。
【００２１】
エネルギー管理装置４５は、例えば、ＨＥＭＳ（Home Energy Management System）サ
ーバやＨＥＭＳコントローラであり、発電機／蓄電池４１の出力や残容量の監視、エンドデバイスの消費される電力や電力量を計測し、計測した値を通信ネットワーク５を介して制御装置１００に送信する。
【００２２】
地域マイクログリッド３には、一つ以上の発電機３１、一つ以上の蓄電池３２、及び電力スイッチ３３が設けられている。電力スイッチ３３は、地域マイクログリッド３と配電網２との間、もしくは、地域マイクログリッド３と各需要家４との間の電力の授受を制御（オンオフ制御等）する。発電機３１は、例えば、（例えば、風力、太陽光、地熱、ガスタービン、燃料電池、バイオマス、バイオガス等の発電機である。蓄電池３２は、例えば、専用の蓄電設備やＥＶ（Electric Vehicle）に搭載されている蓄電池（バッテリー）である。
【００２３】
各需要家４のエネルギー管理装置４５及び電力スイッチ４２、地域マイクログリッド３の電力スイッチ３３、発電機３１、及び蓄電池３２は、通信ネットワーク５を介して制御装置１００と通信可能に接続されている。
【００２４】
通信ネットワーク５は、ＬＡＮ（Local Area Network）、ＷＡＮ（Wide Area Network
）、インターネット、専用線、各種公衆通信網等の無線又は有線の通信基盤である。通信ネットワーク５を介した通信は、例えば、ＴＣＰ／ＩＰ、Echonet（登録商標）やEchonet
Lite（登録商標）等の通信規格に従って行われる。
【００２５】
分電盤４３は、スマートメータが併設されたものやスマート分電盤等であってもよい。その場合、分電盤４３も通信ネットワーク５を介して制御装置１００と通信可能に接続され、分電盤４３から制御装置１００に需要家４における電力に関する情報が通知される。また、制御装置１００から分電盤４３に対して電力の需給制御を行うこともできる。エネルギー管理装置４５は、例えば、ＨＥＭＳ（Home Energy Management System）コントロ
ーラである。
【００２６】
制御装置１００は、配電網２、地域マイクログリッド３、及び各需要家４の間の電力の需給を統括的に制御する情報処理装置である。制御装置１００は、例えば、地域マイクログリッド３の管理拠点や電力会社等の電力供給システム１を管理する組織の電力監視拠点に設けられる。
【００２７】
図２に制御装置１００が備える主な機能を示す。同図に示すように、制御装置１００は、記憶部１１０、情報管理部１２０、状態監視部１３０、及び電力供給制御部１４０の各機能を備える。
【００２８】
記憶部１１０は、需要家設備情報１１１、契約ポリシー情報１１２、契約クラス情報１１３、共有機器管理情報１１４、需要家売買電情報１１５、割当リソース管理情報１１６、及び電力調達管理情報１１７を記憶する。
【００２９】
情報管理部１２０は、記憶部１１０が記憶する情報（需要家設備情報１１１、契約ポリシー情報１１２、契約クラス情報１１３、共有機器管理情報１１４、需要家売買電情報１１５、割当リソース管理情報１１６、及び電力調達管理情報１１７）を管理（情報の取得、登録、編集、削除等）する。
【００３０】
状態監視部１３０は、電力供給システム１の現在の電力供給の状態（平常時、非常時、瞬停対応時等）を監視（検知）する。
【００３１】
電力供給制御部１４０は、電力供給システム１が取り得る様々な状態（平常時、非常時、瞬停対応時等）に応じて、需要家４の夫々への電力の供給方針についての、電力提供事業者と需要家４との間の契約に関する情報である契約ポリシーに従い、各需要家４に電力を供給するための制御を行う。契約ポリシーは、例えば、電力供給の優先順位や契約の種類を規定する情報である契約クラス、需要家に供給する電力の品質を規定する情報、及び供給される電力量を指定する情報等を含む。電力供給制御部１４０は、上記制御に際し、記憶部１１０が記憶する情報を適宜参照する。
【００３２】
また、電力供給制御部１４０は、配電網２からの電力の供給に支障が生じている非常時に需要家４に供給可能な電力量を随時求め、求めた電力量を、需要家４に夫々の契約クラスに従って割り当てた場合の余剰電力を求め、求めた余剰電力に応じて需要家４への電力の割当方法（以下、「制御モード」と称する。）を決定し、決定した制御モードで電力の
供給を制御する。
【００３３】
また、電力供給制御部１４０は、非常時において、需要家４に電力の供給が可能な電力供給設備（地域マイクログリッド３における発電機３１や蓄電池３２、需要家４における発電機／蓄電池４１）の生存確認を行い、生存が確認された電力供給設備が需要家４に供給可能な電力量を随時算出し、算出した電力量を、需要家４に夫々の契約クラスに従って割り当てた場合の余剰電力を求め、求めた余剰電力に応じて制御モードを決定し、決定した制御モードで電力の供給を制御する。
【００３４】
図３に、制御装置１００を実現する情報処理装置のハードウェア構成例を示す。同図に示すように、例示する情報処理装置１０は、プロセッサ１１、主記憶装置１２、補助記憶装置１３、入力装置１４、出力装置１５、通信装置１６、及び計時装置１７を備える。情報処理装置１０は、その全部または一部が、例えば、クラウドシステムによって提供される仮想サーバのように、仮想化技術やプロセス空間分離技術等を用いて提供される仮想的な情報処理資源を用いて実現されるものであってもよい。情報処理装置１０によって提供される機能の全部または一部を、例えば、クラウドシステムがＡＰＩ（Application Programming Interface）等を介して提供するサービスによって実現してもよい。制御装置１
００は、通信可能に接続された複数の情報処理装置１０を用いて構成してもよい。
【００３５】
同図において、プロセッサ１１は、例えば、ＣＰＵ（Central Processing Unit）、Ｍ
ＰＵ（Micro Processing Unit）、ＧＰＵ（Graphics Processing Unit）、ＦＰＧＡ（Field Programmable Gate Array）、ＡＳＩＣ（Application Specific Integrated Circuit
）、ＡＩ（Artificial Intelligence）チップ等を用いて構成されている。
【００３６】
主記憶装置１２は、プログラムやデータを記憶する装置であり、例えば、ＲＯＭ（Read
Only Memory）、ＲＡＭ（Random Access Memory）、不揮発性メモリ（ＮＶＲＡＭ（Non Volatile RAM））等である。
【００３７】
補助記憶装置１３は、例えば、ＳＳＤ（Solid State Drive）、ハードディスクドライ
ブ、光学式記憶装置（ＣＤ（Compact Disc）、ＤＶＤ（Digital Versatile Disc）等）、ストレージシステム、ＩＣカード、ＳＤカードや光学式記録媒体等の記録媒体の読取／書込装置、クラウドサーバの記憶領域等である。補助記憶装置１３には、記録媒体の読取装置や通信装置１６を介してプログラムやデータを読み込むことができる。補助記憶装置１３に格納（記憶）されているプログラムやデータは主記憶装置１２に随時読み込まれる。尚、補助記憶装置１３は、各種のデータを記憶する機能（以下、「記憶部」と称する。）を構成する。
【００３８】
入力装置１４は、外部からの入力を受け付けるインタフェースであり、例えば、キーボード、マウス、タッチパネル、カードリーダ、ペン入力方式のタブレット、音声入力装置等である。
【００３９】
出力装置１５は、処理経過や処理結果等の各種情報を出力するインタフェースである。出力装置１５は、例えば、上記の各種情報を可視化する表示装置（ＬＣＤ（Liquid Crystal Display）、有機ＥＬモニタ、グラフィックカード等）、上記の各種情報を音声化する装置（音声出力装置（スピーカ等））、上記の各種情報を文字化する装置（印字装置等）である。尚、例えば、情報処理装置１０が通信装置１６を介して他の装置との間で情報の入力や出力を行う構成としてもよい。例えば、情報処理装置１０は、インターネットを介して他の装置との間で入出力を行ってもよい。
【００４０】
尚、入力装置１４及び出力装置１５は、ユーザとの間で情報の受け付けや情報の提示を
行うユーザインタフェースを構成する。
【００４１】
通信装置１６は、他の装置との間の通信を実現する装置である。通信装置１６は、通信ネットワーク５を介した他の装置との間の通信を実現する、有線方式または無線方式の通信インタフェースであり、例えば、ＮＩＣ（Network Interface Card）、無線通信モジュール、ＵＳＢモジュール等である。
【００４２】
計時装置１７は、ＲＴＣ（Real Time Clock）やＮＴＰ（Network Time Protocol）を用いて現在日時や期間の計算に用いる情報を生成する。
【００４３】
情報処理装置１０には、例えば、オペレーティングシステム、ファイルシステム、ＤＢＭＳ（DataBase Management System）（リレーショナルデータベース、ＮｏＳＱＬ等）、ＫＶＳ（Key-Value Store）、その他の各種のソフトウェア（入力装置１４と出力装置１
５によりＧＵＩ（Graphical User Interface）等によるユーザインタフェースを実現するソフトウェア、ミドルウェア、各種のアプリケーション等）が導入されていてもよい。
【００４４】
制御装置１００が備える各機能は、プロセッサ１１が、主記憶装置１２に格納されているプログラムを読み出して実行することにより、もしくは、これらの装置を構成するハードウェア（ＦＰＧＡ、ＡＳＩＣ、ＡＩチップ等）によって実現される。また、制御装置１００は、各種の情報（データ）を、例えば、ＤＢＭＳ（DataBase Management System）が提供するデータベースのテーブルや、ファイルシステムが管理するファイルとして記憶する。上記のプログラムは、予め、主記憶装置１２に格納されていてもよいし、他の装置の記憶装置から、通信ネットワーク、または、可搬型記録媒体、を介して、主記憶装置１２に格納されてもよい。
【００４５】
続いて、記憶部１１０が記憶する各種の情報について説明する。
【００４６】
図４に需要家設備情報１１１の一例を示す。需要家設備情報１１１には、需要家４に設けられている電力関連設備に関する情報が管理される。同図に示すように、需要家設備情報１１１は、需要家ＩＤ４１１、エネルギー管理装置ＩＤ４１２、回線容量４１３、回線Ｉ／Ｆ４１４、及び更新日時４１５の各項目を有する一つ以上のエントリ（レコード）を含む。需要家設備情報１１１の一つのエントリは一つの顧客に対応している。
【００４７】
上記項目のうち、需要家ＩＤ４１１には、需要家４の識別子である需要家ＩＤが設定される。エネルギー管理装置ＩＤ４１２には、当該需要家４に設けられているエネルギー管理装置４５の識別子であるエネルギー管理装置ＩＤが設定される。回線容量４１３には、当該需要家４の回線容量を示す情報が設定される。回線Ｉ／Ｆ４１４には、当該需要家４の電力回線のインタフェース（受電方式）を示す情報が設定される。更新日時４１５には、当該エントリの登録日時もしくは最終更新日時が設定される。
【００４８】
図５に契約ポリシー情報１１２の一例を示す。契約ポリシー情報１１２には、前述した契約ポリシーが管理される。同図に示すように、契約ポリシー情報１１２は、需要家ＩＤ５１１、契約クラス５１２、及びＳＬＡ５１３（容量５１３１、チャージ頻度５１３２、期間５１３３）の各項目を有する一つ以上のエントリ（レコード）を含む。契約ポリシー情報１１２の一つのエントリは、一つの契約ポリシーに対応する。
【００４９】
上記項目のうち、需要家ＩＤ５１１には、需要家ＩＤが設定される。契約クラス５１２には、前述した契約クラスの識別子である契約クラスＩＤ（後述するメインＩＤとサブクラスＩＤの組合せ）が設定される。ＳＬＡ５１３には、当該契約クラスにおけるＳＬＡ（Service Level Agreement）(要求品質、サービスレベル)に関する情報が設定される。本
例の場合、例えば、一行目のエントリには、「１００kwh／日の電力を７日間利用可能」
というＳＬＡが設定されている。
【００５０】
図６に契約クラス情報１１３の一例を示す。契約クラス情報１１３には、前述した契約クラスに関する情報が管理される。同図に示すように、契約クラス情報１１３は、契約クラス６１１、内容６１２、及びサブクラスＩＤ６１３の各項目を有する一つ以上のエントリ（レコード）を含む。契約クラス情報１１３の一つのエントリは一つの契約クラスに対応する。
【００５１】
上記項目のうち、契約クラスＩＤには、契約クラスＩＤの主となる識別子（以下、「メインＩＤ」と称する。）が設定される。内容６１２には、当該契約クラスの内容に関する情報が設定される。サブクラス６１３には、契約クラスＩＤを更に細分化したクラス（以下、「サブクラス」と称する。）の識別子（以下、「サブクラスＩＤ」と称する。）が設定される。サブクラスは必ずしも設定しなくてもよい。
【００５２】
例示する契約クラスの場合、電力の割当優先順位は、メインＩＤについては、「Ｅ１」＞「Ｅ２」＞「Ｅ３」の順であり、サブクラスＩＤについては「１」＞「２」＞「３」の順である。契約クラスは、例えば,需要家４の性質や種類に応じて決定され、例えば、イ
ンフラ（病院、通信網等）を取り扱う需要家４には、優先順位の高い契約クラスが設定される。
【００５３】
図７に共有機器管理情報１１４の一例を示す。共有機器管理情報１１４には、地域マイクログリッド３から電力の供給を受ける需要家４によって共有される電力供給設備（地域マイクログリッド３における発電機３１や蓄電池３２、需要家４における発電機／蓄電池４１）に関する情報が管理される。同図に示すように、共有機器管理情報１１４は、機器ＩＤ７１１、種別７１２、回線容量７１３、容量７１４、ＱｏＳクラス７１５、生存確認７１６、及び確認日時７１７の各項目を有する一つ以上のエントリ（レコード）を含む。共有機器管理情報１１４の一つのエントリは一つの電力供給設備に対応している。
【００５４】
上記項目のうち、機器ＩＤ７１１には、電力供給設備の識別子が設定される。種別７１２には、当該機器の種別（蓄電、ＰＶ（Photovoltaics）等）を表わす情報が設定される
。回線容量７１３には、当該機器の回線容量（電力）が設定される。容量７１４には、当該機器の容量（電力量）が設定される。ＱｏＳクラス７１５には、当該機器が供給する電力の品質（電圧／周波数の安定性、供給安定性等）を示す情報（以下、「ＱｏＳクラス」と称する。）が設定される。本例では、数値が小さい程、電力の品質が高いものとする。例えば、優先順位の高い契約クラスにはＱｏＳクラスの高い（品質の高い）電力供給設備が生成する電力が割り当てられる。生存確認７１６には、当該機器が現在、利用可能な状態にあるか否かを確認（生存確認）した結果が設定される。本例では、利用可能な場合は「可」が、利用できない場合は「不可」が設定される。上記生存確認は、例えば、当該機器からのハートビートの監視やポーリングにより行う。確認日時７１７には、当該機器が利用可能な状態にあるか否かを確認した直近の日時が設定される。
【００５５】
図８に需要家売買電情報１１５の一例を示す。需要家売買電情報１１５には、各需要家４の売電や買電に関する履歴（以下、「売買電情報」と称する。）が管理される。制御装置１００は、例えば、通信ネットワーク５を介して需要家４の電力スイッチ４２から売買電情報を取得する。制御装置１００は、例えば、非常時において、過去に生じた非常時に積極的に売電を行った実績のある需要家４に対して優先的に電力が供給されるように制御する。これにより非常時に需要家４に自身が保有する電力を他の需要家に融通することについてのインセンティブを与えることができる。同図に示すように、需要家売買電情報１１５は、需要家ＩＤ８１１、日時８１２、期間８１３、蓄電量８１４、積算買電量８１５
、及び積算売電量８１６の各項目を有する一つ以上のエントリ（レコード）を含む。需要家売買電情報１１５の一つのエントリは、ある需要家４のある日時の所定期間における売買電情報に対応する。
【００５６】
上記項目のうち、需要家ＩＤ８１１には、需要家ＩＤが設定される。日時８１２には、当該売買電情報の取得日時が設定される。期間８１３には、当該売買電情報の取得期間が設定される。蓄電量８１４には、当該需要家４に蓄電池（発電機／蓄電池４１）が設けられている場合にその残量（残容量）が設定される。積算買電量８１５には、当該期間における積算買電量（全状態における買電量（All）、各状態における買電量（E1〜E3））が
設定される。積算売電量８１６には、当該期間における積算売電量（全状態における売電量（All）、各状態における売電量（E1〜E3））が設定される。
【００５７】
図９に割当リソース管理情報１１６の一例を示す。割当リソース管理情報１１６には、非常時に各契約クラスに割り当て可能な電力量（リソース量）を示す情報（以下、「割当計画」と称する。）が管理される。同図に示すように、割当リソース管理情報１１６は、需要家ＩＤ９１１、日時９１２、期間９１３、及び割当リソース量９１４の各項目からなる一つ以上のエントリ（レコード）を含む。割当リソース管理情報１１６の一つのエントリは、ある需要家４の所定日時の所定期間におけるリソースの割当計画の一つに対応する。
【００５８】
上記項目のうち、需要家ＩＤ９１１には、需要家ＩＤが設定される。日時９１２には、当該割当計画の対象日時が設定される。期間９１３には、当該割当計画の対象期間の長さが設定される。割当リソース量９１５には、当該割当計画の内容（契約クラス毎の割当可能な電力量）が設定される。
【００５９】
図１０に、電力調達管理情報１１７の一例を示す。電力調達管理情報１１７には、電力供給設備（地域マイクログリッド３における発電機３１や蓄電池３２、需要家４における発電機／蓄電池４１等）から供給可能な電力に関する情報（以下、「調達状況」と称する。）が管理される。同図に示すように、電力調達管理情報１１７は、機器ＩＤ１０１１、種別１０１２、調達開始日時１０１３、調達終了日時１０１４，回線容量１０１５、容量１０１６、及びＱｏＳクラス１０１７の各項目からなる一つ以上のエントリ（レコード）を含む。電力調達管理情報１１７の一つのエントリは、ある機器についてのある期間における調達状況に対応する。
【００６０】
上記項目のうち、機器ＩＤ１０１１には、前述した機器ＩＤが設定される。種別１０１２には、当該機器の種別を示す情報（発電機、蓄電池、電源車両、ＥＶ等）が設定される。調達開始日時１０１３には、当該機器からの電力の調達が開始される日時が設定される。調達終了日時１０１４には、当該機器からの電力の調達が終了する日時が設定される。回線容量１０１５には、当該機器の回線容量（電力）が設定される。容量１０１６には、当該機器から提供される電力の容量（電力量）が設定される。ＱｏＳクラス１０１７には、当該機器から供給される電力のＱｏＳクラスが設定される。
【００６１】
＜制御モード＞
制御装置１００は、電力供給システム１の状態に応じた制御モードで電力の供給制御を行う。
【００６２】
図１１は、電力供給システム１の状態と制御モードの関係を説明する状態遷移図である。同図に示すように、配電網２の電力供給状態は、「平常」、「瞬停対応」、「非常」の３つに大別される。
【００６３】
このうち「平常」は、各需要家４に必要な電力を供給可能な状態である。この場合、制御装置１００は、通常の運用手順に従い、例えば、配電網２や地域マイクログリッド３における目的関数（電力供給コスト等）が最小になるように制御する制御モード（以下、「平常モード」と称する。）で電力の供給制御を行う。
【００６４】
「瞬停」は、需要家４において瞬停が検出された状態である。この場合、制御装置１００は、各需要家４への電力供給が継続されるように、例えば、目的関数（停電時間）が最小になるように制御する制御モード（以下、「瞬停対応モード」と称する。）で電力の供給制御を行う。
【００６５】
「非常」は、系統停電が一定時間継続している状態である。この場合、制御装置１００は、非常時の制御モードである「非常モード」で各需要家４に電力を供給する。本実施形態では、「非常」を更に、「非常Ｓ１」、「非常Ｓ２」、及び「非常Ｓ３」の３つの状態に分類する。
【００６６】
「非常Ｓ１」では、制御装置１００は、契約中の全ての契約クラス（図６の例では、Ｅ１〜Ｅ３の各契約クラス）に対して電力を割り当てる制御モードである「Ｓ１モード」で電力の供給制御を行う。尚、「非常Ｓ１」は、例えば、後述の図１３に示すシナリオ（１）の全期間に相当する状態である。
【００６７】
「非常Ｓ２」では、制御装置１００は、電力を調達可能な範囲で優先順に選択される契約クラス（図６の例では、Ｅ１とＥ２）に限定して電力を割り当てる制御モードである「Ｓ２モード」で電力を割り当てる制御を行う。尚、「非常Ｓ２」は、例えば、後述の図１３に示すシナリオ（２）の４〜７日目に相当する状態である。
【００６８】
「非常Ｓ３」では、制御装置１００は、最優先の契約クラス（図６ではＥ１クラス）に限定して電力を割り当てる制御モードである「Ｓ３モード」で制御を行う。尚、「非常Ｓ３」は、例えば、後述するシナリオ（３）の５〜７日目に相当する状態である。
【００６９】
図１２は、電力供給システム１の動作の一例を示す図（グラフ）である。同グラフの横軸は時間であり、縦軸は電力供給システム１の制御モードである。本例では、平常モードで制御中のときにｔ１で停電が発生して電力供給システム１の状態が「瞬停対応」となり、制御モードが平常モードから瞬停対応モードに切り替わっている。また、所定時間（＝ｔ２−ｔ１）の間に配電網２が復旧しなかったため、時刻ｔ２で制御モードが瞬停対応モードからＳ１モードに切り替わっている。また、非常モードでは、時刻ｔ３で電源車両や発電状態が変化したため、制御モードがＳ１モードからＳ２モードに制御モードが切り替わっている。その後、時刻ｔ４で配電網２が復旧したため、制御モードがＳ２モードから平常モードに切り替わっている。
【００７０】
＜非常時の制御例＞
図１３は、非常時における制御装置１００による電力供給システム１の制御例を説明するグラフである。同グラフの横軸は、非常時に切り替わった時点からの経過日数、縦軸は、需要家４における積算電力量（kwh）である。同グラフには、契約クラスＥ１で契約し
ている１件の需要家の積算電力量（網掛け（ドット）で示す棒グラフ）と、契約クラスＥ２で契約している２件の需要家（破線で各需要家を区別）の積算電力量（白塗りで示す棒グラフ）を示している。
【００７１】
同グラフに示す３つの直線は、各時点において提供可能な電力量をシミュレーションしたものであり、夫々、シナリオ（１）（電力を提供可能な電力供給設備が蓄電池と非常用発電機（150kwh/day）である場合）、シナリオ（２）（電力を提供可能な電力供給設備が
蓄電池と非常用発電機（50kwh/day）である場合）、シナリオ（３）（電力を提供可能な
電力供給設備が蓄電池のみである場合）に相当する。
【００７２】
シナリオ（１）では、１〜７日目までの全期間に亘り、契約クラスＥ１、Ｅ２について各需要家４に契約に従った電力を供給することができる。また、余剰電力については、例えば、契約クラスＥ３に割り当てることができる。
【００７３】
シナリオ（２）では、２日目までは契約クラスＥ１、Ｅ２に契約に従った電力を供給することができ、更に余剰電力を契約クラスＥ３に割り当てることができるが、３〜７日目は契約クラスＥ１については電力を供給できるが契約クラスＥ２については需要家４に契約に従った電力を必ずしも供給することができない。この場合、制御装置１００は、契約クラスＥ１については優先的に契約に従った電力を割り当てるが、契約クラスＥ２については、各需要家４に予め定められた比率で電力を割り当てる。
【００７４】
シナリオ（３）では、４日目までは契約クラスＥ１に契約に従って電力を割り当てることができるが、６日目以降は契約クラスＥ１についても契約に従った電力を割り当てることができなくなる。この場合、制御装置１００は、例えば、契約クラスＥ１の特定の需要家４に限定して電力を供給し、契約クラスＥ１の契約を行っている他の需要家４に対しては、例えば、６日目以降は電力を供給できない旨を電子メール等で通知する。
【００７５】
尚、以上の各シナリオでは、非常時に電力を提供可能な電力供給設備として、蓄電池と非常用発電機を例示したが、非常時に現場に展開される電源車両や需要家４に接続されるＥＶ等を電力供給源として考慮してもよい。また、再生可能エネルギー（ＲＥ）を利用した電力供給設備（地域マイクログリッド３における発電機３１、需要家４における発電機／蓄電池４１）を非常時における電力供給源として用いてもよい。
【００７６】
制御装置１００は、非常時における、実際の様々な状況変化に応じて随時、需要家４に供給可能な電力量を求め直し、求めた電力量を契約ポリシーに従った優先順位で需要家４に割り当てる。例えば、制御装置１００は、契約ポリシーが更新された場合、更新後の契約ポリシーに基づき割当計画を更新する。制御装置１００は、余剰電力の存在を確認した場合、電力の割り当てを必要としている契約クラスに余剰電力を迅速に割り当てる。また、同じ契約クラスを契約している複数の需要家４が存在する場合、制御装置１００は、例えば、夫々の契約クラスに指定されている電力量に応じた比率で複数の需要家４の夫々に電力を割り当て、各需要家４に適切(公平、公正)に電力が割り当てられるようにする。
【００７７】
＜制御モードの決定方法＞
非常時において、制御装置１００は、現在提供可能な電力量を随時算出し直し、算出した電力量を契約ポリシーに従って割り当てたときの余剰電力を求め、求めた余剰電力に基づき制御モードを決定する。
【００７８】
図１４は、制御装置１００が行う、非常時の期間中のある時点ｎ（例えば日単位で指定）において、利用可能な状態にあるｌ（エル）個の電力供給設備が存在するときに、優先順位の高い順に所定数Ｍ個の契約クラスまで給電した場合における余剰電力γを求め、求めた余剰電力γに基づき制御モードを決定する処理（以下、「制御モード決定処理Ｓ１４００」と称する。）の一例を示すフローチャートである。以下、同図とともに制御モード決定処理Ｓ１４００について説明する。
【００７９】
同図に示すように、まず制御装置１００は、自然数の変数ｌ、ｍ、ｎにいずれも初期値「１」を設定する（Ｓ１４１１）。
【００８０】
続いて、制御装置１００は、次式で表される関数f(l,m,n)の値βが正か否か（各契約クラスについて夫々の契約に従って電力を割り当てる電力量を確保できるか否か）を判定する（Ｓ１４１２）。
【数１】
2022003848.tif 000003
【００８１】
上式において、Ｓ0は、状態が非常に変わった時点における蓄電量（蓄電量の初期値）
、Ｐ（ｉ，ｋ）は、時点ｋにおける電力供給設備Ｐｉの発電電力量（kwh）、Ｃ（ｊ，ｋ
）は、時点ｋにおける契約クラスＰｉの契約電力量（kwh）、αは、電力損失（マージン
係数）である。
【００８２】
上記判定において、βが正である場合（Ｓ１４１２：ＹＥＳ）、処理はＳ１４１３に進む。上記判定において、βが正でない場合（Ｓ１４１２：ＮＯ）、処理はＳ１４１８に進む。
【００８３】
Ｓ１４１３では、制御装置１００は、βとγを比較し、小さい方の値をγに設定する（Ｓ１４１３）。尚、γには予め初期値として、例えば、βが取り得る最大値を設定しておく。
【００８４】
続いて、制御装置１００は、変数ｎ（時点）をインクリメント（＋１）する（Ｓ１４１４）。
【００８５】
続いて、制御装置１００は、時刻ｎがＮよりも大きいか否かを判定する（Ｓ１４１５）。尚、Ｎは、対象とする所定の時間幅を表わす。時刻ｎがＮよりも大きい場合（Ｓ１４１５：ＹＥＳ）、処理はＳ１４１６に進み、時刻ｎがＮよりも大きくない場合（Ｓ１４１５：ＮＯ）、処理はＳ１４１２に戻る。
【００８６】
Ｓ１４１６では、制御装置１００は、変数ｌと変数ｍをインクリメント（＋１）する。
【００８７】
続いて、制御装置１００は、ｍがＭ以上か否かを判定する（Ｓ１４１７）。ｍがＭ以上であれば（Ｓ１４１７：ＹＥＳ）処理はＳ１４１８に進み、ｍがＭ未満であれば（Ｓ１４１７：ＮＯ）、処理はＳ１４１２に戻る。
【００８８】
Ｓ１４１８では、制御装置１００は、余剰電力γに基づき制御モードを決定する。以上で制御モード決定処理Ｓ１４００は終了する。
【００８９】
以上に示した制御モード決定処理Ｓ１４００によれば、ある時点における余剰電力γを予め予測することができる。そのため、例えば、電力が不足する時点を予め予測することができ、ユーザは事前にどの程度の電力供給源を確保しておく必要あるのかを把握することができる。
【００９０】
＜制御シーケンス＞
図１５は、需要家４への電力供給に関して電力供給システム１において行われるシーケンス（以下、「制御シーケンスＳ１５００」と称する。）の一例を説明するシーケンス図である。以下、同図とともに説明する。
【００９１】
制御装置１００は、配電網（系統）の停電の有無をリアルタイムに監視している（Ｓ５１）。停電の発生を検知すると（Ｓ５１：ＹＥＳ）、制御装置１００は、地域マイクログ
リッド３の電力関連設備（発電機３１、蓄電池３２、電力スイッチ３３）の生存確認や接続確認（例えば、予備電源、電源車両、ＥＶ等の接続確認）を行う（Ｓ５２〜Ｓ５４）。このように非常モードに切り替える前に生存確認や接続確認を行うことで、非常時に実際に利用可能な電力量を精度よく見積もることができる。
【００９２】
続いて、制御装置１００は、通信ネットワーク５を介して、電力供給設備の現在利用可能な電力量を算出する（Ｓ５５）。
【００９３】
続いて、制御装置１００は、配電網（系統）の停電が継続しているか否かを確認し（Ｓ５６）、停電が継続している場合は（Ｓ５６：ＹＥＳ）、電力供給システム１の状態が「非常」であると判定し、処理はＳ５７に進む。一方、停電が継続していない場合は（Ｓ５６：ＮＯ）、処理はＳ５１に戻る。
【００９４】
Ｓ５７では、制御装置１００は、平常モードから非常モードへの切替制御を行う。具体的には、制御装置１００は、通信ネットワーク５を介して、地域マイクログリッド３の電力スイッチ３３と各需要家４のエネルギー管理装置４５に非常モードの運転への切替要求を送信する（Ｓ５８、Ｓ５９）。
【００９５】
その後、制御装置１００は、通信ネットワーク５を介して各電力供給設備から送られてくる情報に基づき現在供給可能な電力量を随時取得し、取得した電力量に基づき図１４に示した制御モード決定処理Ｓ１４００を実行することにより制御モードを随時決定し、決定した制御モードになるように電力スイッチ３３とエネルギー管理装置４５に切替要求を随時送信する。
【００９６】
また、制御装置１００は、非常モードで制御を行っている間、停電の復旧の有無を監視し（Ｓ６０）、停電の復旧を検知すると（Ｓ６０：ＹＥＳ）、地域マイクログリッド３の電力スイッチ３３と各需要家４のエネルギー管理装置４５に平常モードの運転への切替要求を送信する（Ｓ６１〜Ｓ６３）。その後、処理はＳ５１に戻る。
【００９７】
＜ＧＵＩ表示例＞
図１６は、非常時における需要家４への電力の割当状態の確認のために制御装置１００がユーザ（需要家４、契約者、地域マイクログリッド３の監視者、配電網２の管理者等）に提供する画面（以下、「割当状態確認画面１６００」と称する。）の一例である。制御装置１００は、例えば、通信ネットワーク５を介してエネルギー管理装置４５やユーザが操作可能な端末（パーソナルコンピュータ、スマートフォン等）にＷｅｂページ等の形で割当状態確認画面１６００を提供する。
【００９８】
同図に示すように、割当状態確認画面１６００には、ユーザ（本例では需要家ＩＤが「C001」の需要家４）への所定期間における電力量の割当計画が、契約クラス毎に表示形態を変えて表示される。
【００９９】
例示する割当状態確認画面１６００では、本日（2020/3/1）については、利用済の電力量も表示され、契約クラスＥ１については契約通りの電力量を、契約クラスＥ２については契約した電力量の一部を割り当てていることが表示されている。また、本日分については、利用済の電力量や残りの電力量（本日あとどのくらい利用できるか）を容易に確認することができる。
【０１００】
同図の例では、優先順位の低い契約クラスＥ２に割り当てられている電力を先に消費し、優先順位の高い契約クラスＥ１に割り当てられている電力がなるべく温存されるようにしている。翌日（2020/3/2）以降については、余剰電力が得られなかったため、契約クラ
スＥ１については契約通りの電力量を割り当て、他の契約クラスについては電力量を割り当てていないことが表示されている。
【０１０１】
ユーザは、割当状態確認画面１６００を確認することで、各需要家４への電力の所定期間における契約クラス毎の割当計画を容易に（一目で）確認することができる。そのため、事前にどの程度の電力供給源を確保しておく必要あるのかをある程度事前に把握することができる。
【０１０２】
以上に説明したように、本実施形態の制御装置１００は、停電等により配電網２からの電力の供給に支障が生じている非常時に、需要家４の夫々への電力の供給方針についての契約に関する情報である契約ポリシーに従い、需要家４の夫々に対して地域マイクログリッド３の電力（需要家４の電力供給設備から供給される電力を含む）を供給する。また、契約ポリシーは、電力供給の優先順位を規定する情報である契約クラスを含み、制御装置１００は、優先順位の高い契約クラスを契約している需要家４に優先的に地域マイクログリッド３の電力を供給するので、非常時において適切（公平／公正）に需要家４に電力を供給することができる。
【０１０３】
また、制御装置１００は、非常時において、需要家４に供給可能な電力量を随時算出し、算出した電力量を、需要家４に夫々の契約クラスに従って割り当てた場合の余剰電力を求め、求めた余剰電力に応じて需要家４への電力の割当方法である制御モードを決定するので、余剰電力を効率よく利用して需要家４に電力を供給することができる。
【０１０４】
また、制御装置１００は、非常時において、需要家４に電力の供給が可能な電力供給設備の生存確認を行い、生存が確認された電力供給設備が需要家４に供給可能な電力量を随時算出し、算出した電力量を、需要家４に夫々の契約クラスに従って割り当てた場合の余剰電力を求め、求めた余剰電力に応じて需要家４への電力の割当方法である制御モードを決定する。そのため、制御装置１００は、最新の電力の調達状況に基づき適切に供給可能な電力量を把握し、効率よく適切に各需要家４に割り当てることができる。
【０１０５】
以上、本発明の一実施形態について説明したが、本発明は上記の実施形態に限定されるものではなく、その要旨を逸脱しない範囲で種々変更可能であることはいうまでもない。例えば、上記の実施形態は本発明を分かりやすく説明するために詳細に説明したものであり、必ずしも説明した全ての構成を備えるものに限定されるものではない。また、上記実施形態の構成の一部について、他の構成の追加や削除、置換をすることが可能である。
【０１０６】
また、上記の各構成、機能部、処理部、処理手段等は、それらの一部または全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、
ＩＣカード、ＳＤカード、ＤＶＤ等の記録媒体に置くことができる。
【０１０７】
また、以上に説明した各情報処理装置の各種機能部、各種処理部、各種データベースの配置形態は一例に過ぎない。各種機能部、各種処理部、各種データベースの配置形態は、これらの装置が備えるハードウェアやソフトウェアの性能、処理効率、通信効率等の観点から最適な配置形態に変更し得る。
【０１０８】
また、前述した各種の情報（データ）を格納するデータベースの構成（スキーマ（Schema）等）は、リソースの効率的な利用、処理効率向上、アクセス効率向上、検索効率向上等の観点から柔軟に変更し得る。
【符号の説明】
【０１０９】
１  電力供給システム、２  配電網、３  地域マイクログリッド、４  需要家、５  通信ネットワーク、３１  発電機、３２  蓄電池、３３  電力スイッチ、４１  発電機／蓄電池、４２  電力スイッチ、４３  分電盤、４４  エンドデバイス、４５  エネルギー管理装置、１１０  記憶部、１１１  需要家設備情報、１１２  契約ポリシー情報、１１３  契約クラス情報、１１４  共有機器管理情報、１１５  需要家売買電情報、１１６  割当リソース管理情報、１１７  電力調達管理情報、１２０  情報管理部、１３０  状態監視部、１４０  電力供給制御部
【図１】
2022003848.tif 000004
【図２】
2022003848.tif 000005
【図３】
2022003848.tif 000006
【図４】
2022003848.tif 000007
【図５】
2022003848.tif 000008
【図６】
2022003848.tif 000009
【図７】
2022003848.tif 000010
【図８】
2022003848.tif 000011
【図９】
2022003848.tif 000012
【図１０】
2022003848.tif 000013
【図１１】
2022003848.tif 000014
【図１２】
2022003848.tif 000015
【図１３】
2022003848.tif 000016
【図１４】
2022003848.tif 000017
【図１５】
2022003848.tif 000018
【図１６】
2022003848.tif 000019